(57)【要約】      （修正有）【課題】シートが搬送体から剥離する際に発生する放電の影響が画質に表れるのを、必要時に抑制する技術を提供する。【解決手段】画像形成装置の制御部は、白黒モードが設定され、且つシートが搬送体から剥離する際に発生する放電の影響が画質に表れやすい条件を満たすと判断する場合の、シートの搬送方向最下流に配置される第２転写器の転写電流値を第１電流値、白黒モードが設定され、且つ上記条件を満さないと判断する場合の電流値を第２電流値、マルチカラーモードが設定され、且つ上記条件を満たすと判断する場合の電流値を第３電流値、および、マルチカラーモードが設定され、且つ上記条件を満さないと判断する場合の電流値を第４電流値としたとき、第１電流値を、第１電流値と第２電流値との差の絶対値が、第３電流値と第４電流値との差の絶対値よりも大きくなる電流値に設定する設定処理ステップＳ７０を実行する。【選択図】図３
2015108820.tif 000002
【特許請求の範囲】
【請求項１】
シートを搬送する搬送体と、
前記搬送体におけるシートを担持する面に対向して配置される複数の感光体であって、所定の色の現像剤像を担持する第１感光体と、当該複数の感光体のうち前記搬送体によるシートの搬送方向最下流に配置され、ブラックの現像剤を担持する第２感光体と、を含む複数の感光体と、
前記複数の感光体の各感光体に対応して設けられる複数の転写器であって、前記第１感光体に担持される前記所定の色の現像剤像を、前記搬送体上のシートに転写する第１転写器と、前記第２感光体に担持される前記ブラックの現像剤像を、前記搬送体上のシートに転写する第２転写器と、含む複数の転写器と、
制御部と、を備え、
前記制御部は、
現像剤像を転写されたシートが前記搬送体から剥離する際に発生する放電の影響が画質に表れやすい条件を満たしているか否かを判断する判断処理と、
前記ブラックの現像剤のみを利用して画像を形成する白黒モードが設定されており、且つ前記判断処理にて前記条件を満たしていると判断する場合の前記第２転写器の転写電流値を第１電流値、
前記白黒モードが設定されており、且つ前記判断処理にて前記条件を満たしていないと判断する場合の前記第２転写器の転写電流値を第２電流値、
前記所定の色およびブラックを含む複数の色の現像剤を利用して画像を形成するマルチカラーモードが設定されており、且つ前記判断処理にて前記条件を満たしていると判断する場合の前記第２転写器の転写電流値を第３電流値、および、
前記マルチカラーモードが設定されており、且つ前記判断処理にて前記条件を満たしていないと判断する場合の前記第２転写器の転写電流値を第４電流値としたとき、
前記第１電流値を、前記第１電流値と前記第２電流値との差の絶対値が、前記第３電流値と前記第４電流値との差の絶対値よりも大きくなる電流値に設定する設定処理と、
前記設定処理にて設定された前記第１電流値を用いて、前記白黒モードで画像を形成する画像形成処理と、を実行する、画像形成装置。
【請求項２】
請求項１に記載の画像形成装置において、
前記制御部は、
前記設定処理において、前記白黒モードでの前記第１転写器の転写電流値を、絶対値として、前記マルチカラーモードでの前記第１転写器の転写電流値よりも小さい転写電流値に設定する、画像形成装置。
【請求項３】
請求項１または請求項２に記載の画像形成装置において、
前記制御部は、
前記判断処理において、前記条件を満たしているか否かの判断として、低湿度か否かを判断する、画像形成装置。
【請求項４】
請求項３に記載の画像形成装置において、
前記制御部は、
前記設定処理において、湿度が低くなるに応じて、前記第１電流値を、絶対値として、より大きい値に設定する、画像形成装置。
【請求項５】
請求項４に記載の画像形成装置において、
前記制御部は、
前記設定処理において、湿度によって前記第１電流値を変更する一方で、前記白黒モードが設定されており、且つ前記判断処理にて前記条件を満たしていると判断する場合
の前記第１転写器の転写電流値は、湿度が変わっても同じ値を設定する、画像形成装置。
【請求項６】
請求項１から請求項５のいずれか一項に記載の画像形成装置において、
前記制御部は、
前記判断処理において、前記条件を満たしているか否かの判断として、画像の形成に用いられるシートが腰の強いシートか否かを判断する、画像形成装置。
【請求項７】
請求項１から請求項６のいずれか一項に記載の画像形成装置において、
操作部を備え、
前記制御部は、
前記操作部を介して前記第１電流値を設定する要求を受け付ける受付処理を実行し、
前記設定処理において、前記受付処理にて前記要求を受け付けた場合の前記第１電流値を、絶対値として、前記受付処理にて前記要求を受け付けない場合の前記第１電流値よりも大きい値に設定する、画像形成装置。
【請求項８】
請求項１から請求項７のいずれか一項に記載の画像形成装置において、
前記設定処理は、前記判断処理にて前記条件を満たしていないと判断する場合、前記第２電流値と前記第４電流値とを設定することを含み、
前記制御部は、
前記設定処理において、前記第２電流値と前記第４電流値とを、同じ値に設定する、画像形成装置。
【請求項９】
シートを搬送する搬送体と、
前記搬送体におけるシートを担持する面に対向して配置される複数の感光体であって、ブラックの現像剤像を担持する第１感光体と、当該複数の感光体のうち前記搬送体によるシートの搬送方向最下流に配置され、所定の色の現像剤を担持する第２感光体と、を含む複数の感光体と、
前記複数の感光体の各感光体に対応して設けられる複数の転写器であって、前記第１感光体に担持される前記ブラックの現像剤像を、前記搬送体上のシートに転写する第１転写器と、前記第２感光体に担持される前記所定の色の現像剤像を、前記搬送体上のシートに転写する第２転写器と、含む複数の転写器と、
制御部と、を備え、
前記制御部は、
現像剤像を転写されたシートが前記搬送体から剥離する際に発生する放電の影響が画質に表れやすい条件を満たしているか否かを判断する判断処理と、
前記所定の色およびブラックを含む複数の色の現像剤を利用して画像を形成するマルチカラーモードが設定されており、且つ前記判断処理にて前記条件を満たしていると判断する場合の前記第２転写器の転写電流値を第１電流値、
前記マルチカラーモードが設定されており、且つ前記判断処理にて前記条件を満たしていないと判断する場合の前記第２転写器の転写電流値を第２電流値、
前記ブラックの現像剤のみを利用して画像を形成する白黒モードが設定されており、且つ前記判断処理にて前記条件を満たしていると判断する場合の前記第２転写器の転写電流値を第３電流値、および、
前記白黒モードが設定されており、且つ前記判断処理にて前記条件を満たしていないと判断する場合の前記第２転写器の転写電流値を第４電流値としたとき、
前記第１電流値を、前記第１電流値と前記第２電流値との差の絶対値が、前記第３電流値と前記第４電流値との差の絶対値よりも大きくなる電流値に設定する設定処理と、
前記設定処理にて設定された前記第１電流値を用いて、前記マルチカラーモードで画像を形成する画像形成処理と、を実行する、画像形成装置。
【請求項１０】
シートを搬送する搬送体と、
前記搬送体におけるシートを担持する面に対向して配置される複数の感光体であって、第１色の現像剤像を担持する第１感光体と、当該複数の感光体のうち前記搬送体によるシートの搬送方向最下流に配置され、第２色の現像剤を担持する第２感光体と、を含む複数の感光体と、
前記複数の感光体の各感光体に対応して設けられる複数の転写器であって、前記第１感光体に担持される前記第１色の現像剤像を、前記搬送体上のシートに転写する第１転写器と、前記第２感光体に担持される前記第２色の現像剤像を、前記搬送体上のシートに転写する第２転写器と、含む複数の転写器と、
操作部と、
制御部と、を備え、
前記制御部は、
現像剤像を転写されたシートが前記搬送体から剥離する際に発生する放電の影響が画質に表れやすい条件を満たしているか否かを判断する判断処理と、
前記操作部を介して前記第２転写器の転写電流値を設定する要求を受け付ける受付処理と、
前記受付処理にて前記要求を受け付け、且つ前記判断処理にて前記条件を満たしていると判断する場合の前記第２転写器の転写電流値を、前記受付処理にて前記要求を受け付けておらず、且つ前記判断処理にて前記条件を満たしていると判断する場合の前記第２転写器の電流値よりも大きい電流値に設定する設定処理と、
前記設定処理にて設定された電流値を用いて画像を形成する画像形成処理と、を実行する、画像形成装置。
【請求項１１】
請求項１０に記載の画像形成装置において、
前記制御部は、前記判断処理において、前記条件を満たしているか否かの判断として、前記第２色の現像剤のみを利用して画像を形成する単色モードか否かを判断する、画像形成装置。
【発明の詳細な説明】
【技術分野】
【０００１】
本発明は、画像形成装置に関し、詳しくは、画像形成の際の、転写電流の制御に係る技術に関する。
【背景技術】
【０００２】
従来、画像形成の際の、転写電流を制御する技術として、例えば、特許文献１に記載されたものが知られている。その特許文献１においては、最下流がブラックのプロセスであるタンデム方式の構成において、白黒モードでの印刷時、ブラック（Ｋ）の転写電流を１２μＡ（マイクロアンペア）とし、Ｙ，Ｍ，Ｃの転写電流をほぼ０（ゼロ）μＡとするように制御する技術が開示されている。
【先行技術文献】
【特許文献】
【０００３】
【特許文献１】特開２００１−３５０３５３号公報
【発明の概要】
【発明が解決しようとする課題】
【０００４】
ところで、上記タンデム方式の構成において、各色の現像剤像を転写されたシートが定着器へ搬送される際、シートが搬送体から剥離することより放電が発生する場合がある。その場合、他の色の現像剤像に最後に転写される最下流の色の現像剤像が放電の影響を受け、種々の原因により、形成される画像に放電の影響が表れやすくなることがあった。
【０００５】
その対策として最下流の転写ローラに十分な転写電流を与えれば、最下流の色の現像剤のシートに対する吸着力が高まり、放電の影響を抑制する効果がある。しかしながら、元々、画質に最適な転写電流値が設定されているため、放電の影響を抑制するために常時、転写電流値を大きくすることは得策であると言い難かった。
【０００６】
本発明は、シートが搬送体から剥離する際に発生する放電の影響が画質に表れるのを、必要時に抑制する技術を提供するものである。
【課題を解決するための手段】
【０００７】
本明細書によって開示される画像形成装置は、シートを搬送する搬送体と、前記搬送体におけるシートを担持する面に対向して配置される複数の感光体であって、所定の色の現像剤像を担持する第１感光体と、当該複数の感光体のうち前記搬送体によるシートの搬送方向最下流に配置され、ブラックの現像剤を担持する第２感光体と、を含む複数の感光体と、前記複数の感光体の各感光体に対応して設けられる複数の転写器であって、前記第１感光体に担持される前記所定の色の現像剤像を、前記搬送体上のシートに転写する第１転写器と、前記第２感光体に担持される前記ブラックの現像剤像を、前記搬送体上のシートに転写する第２転写器と、含む複数の転写器と、制御部と、を備え、前記制御部は、現像剤像を転写されたシートが前記搬送体から剥離する際に発生する放電の影響が画質に表れやすい条件を満たしているか否かを判断する判断処理と、前記ブラックの現像剤のみを利用して画像を形成する白黒モードが設定されており、且つ前記判断処理にて前記条件を満たしていると判断する場合の前記第２転写器の転写電流値を第１電流値、前記白黒モードが設定されており、且つ前記判断処理にて前記条件を満たしていないと判断する場合の前記第２転写器の転写電流値を第２電流値、前記所定の色およびブラックを含む複数の色の現像剤を利用して画像を形成するマルチカラーモードが設定されており、且つ前記判断処理にて前記条件を満たしていると判断する場合の前記第２転写器の転写電流値を第３電流値、および、前記マルチカラーモードが設定されており、且つ前記判断処理にて前記条件を満たしていないと判断する場合の前記第２転写器の転写電流値を第４電流値としたとき、前記第１電流値を、前記第１電流値と前記第２電流値との差の絶対値が、前記第３電流値と前記第４電流値との差の絶対値よりも大きくなる電流値に設定する設定処理と、前記設定処理にて設定された前記第１電流値を用いて、前記白黒モードで画像を形成する画像形成処理と、を実行する。
本構成によれば、放電の影響が画質に表れやすい条件を満たしている場合の第２転写器に供給される転写電流の通常時（デフォルト値）からの増加量は、マルチカラーモードの印字の場合と比べて、白黒モードの印字の場合の方が大きい。このように、増加量をマルチカラーモードと白黒モードとにおいて異ならせることによって、放電の影響が画質に表れやすい条件を満たしている場合において、特に白黒モードでの放電の影響が画質に表れるのを抑制できる。また、放電の影響が画質に表れやすい条件を満たしている場合にのみ、言い換えれば、必要なときに、第２転写器の転写電流値が通常環境時（条件を満たしていない場合）より大きく設定される。そのため、必要なときに、シートが搬送体から剥離する際に発生する放電の影響が画質に表れるのを抑制できる。
【０００８】
上記画像形成装置において、前記制御部は、前記設定処理において、前記白黒モードでの前記第１転写器の転写電流値を、絶対値として、前記マルチカラーモードでの前記第１転写器の転写電流値よりも小さい転写電流値に設定するようにしてもよい。
本構成によれば、白黒モードでの第１転写器の転写電流値は、マルチカラーモードでの第１転写器の転写電流値よりも小さいため、白黒モードにおけるシートの搬送体への吸着力が弱く、シートが搬送体から剥離する際に発生する放電の影響が画質に表れやすいが、第２転写器の電流値をマルチカラーモードでの第２転写器の電流値よりも大きくするため、シートが搬送体から剥離する際に発生する放電の影響が画質に表れるのを抑制できる。
【０００９】
また、上記画像形成装置において、前記制御部は、前記判断処理において、前記条件を満たしているか否かの判断として、低湿度か否かを判断するようにしてもよい。
通常、低湿度のとき、高湿度と比べて、シートが搬送体から剥離する際に放電が発生しやすく、シートが搬送体から剥離する際に発生する放電の影響が画質に表れやすい。そのため、本構成によれば、低湿度のときに第２転写器の電流値を増加させることによって、現像剤像のシートへの転写を強めることができ、それによって放電の影響を抑制できる。
【００１０】
また、上記画像形成装置において、前記制御部は、前記設定処理において、湿度が低くなるに応じて、前記第１電流値を、絶対値として、より大きい値に設定するようにしてもよい。
本構成によれば、湿度の変化にきめ細かく対応して、シートが搬送体から剥離する際に発生する放電の影響が画質に表れるのを抑制できる。
【００１１】
また、上記画像形成装置において、前記制御部は、前記設定処理において、湿度によって前記第１電流値を変更する一方で、前記白黒モードが設定されており、且つ前記判断処理にて前記条件を満たしていると判断する場合の前記第１転写器の転写電流値は、湿度が変わっても同じ値を設定するようにしてもよい。
本構成によれば、湿度が変わっても画質に統一性を確保できる。なお、第１転写器の転写電流値は、湿度が変わった際、同じ値に限られず、多少の誤差があってもよい。
【００１２】
また、上記画像形成装置において、前記制御部は、前記判断処理において、前記条件を満たしているか否かの判断として、画像の形成に用いられるシートが腰の強いシートか否かを判断するようにしてもよい。
通常、腰の強いシートのとき、腰の弱いシートと比べて、シートが搬送体から剥離する際に発生する放電の影響が画質に表れやすい。そのため、本構成によれば、腰の強いシートのときに第２転写器の電流値を増加させることによって、現像剤像のシートへの転写を強めることができ、それによって放電の影響を抑制できる。
【００１３】
また、上記画像形成装置において、操作部を備え、前記制御部は、前記操作部を介して前記第１電流値を設定する要求を受け付ける受付処理を実行し、前記設定処理において、前記受付処理にて前記要求を受け付けた場合の前記第１電流値を、絶対値として、前記受付処理にて前記要求を受け付けない場合の前記第１電流値よりも大きい値に設定するようにしてもよい。
本構成によれば、シートが搬送体から剥離する際に発生する放電の影響が画質に表れやすい場合、ユーザが操作部を介して第１電流値を設定できる。
【００１４】
また、上記画像形成装置において、前記設定処理は、前記判断処理にて前記条件を満たしていないと判断する場合、前記第２電流値と前記第４電流値とを設定することを含み、前記制御部は、前記設定処理において、前記第２電流値と前記第４電流値とを、同じ値に設定するようにしてもよい。
【００１５】
本構成によれば、白黒モードとマルチカラーモードとで画質に統一性を確保できる。なお、第２電流値と第４電流値とは同じ値に限られず、多少の誤差があってもよい。
【００１６】
また、本明細書によって開示される画像形成装置は、シートを搬送する搬送体と、前記搬送体におけるシートを担持する面に対向して配置される複数の感光体であって、ブラックの現像剤像を担持する第１感光体と、当該複数の感光体のうち前記搬送体によるシートの搬送方向最下流に配置され、所定の色の現像剤を担持する第２感光体と、を含む複数の感光体と、前記複数の感光体の各感光体に対応して設けられる複数の転写器であって、前記第１感光体に担持される前記ブラックの現像剤像を、前記搬送体上のシートに転写する第１転写器と、前記第２感光体に担持される前記所定の色の現像剤像を、前記搬送体上のシートに転写する第２転写器と、含む複数の転写器と、制御部と、を備え、前記制御部は、現像剤像を転写されたシートが前記搬送体から剥離する際に発生する放電の影響が画質に表れやすい条件を満たしているか否かを判断する判断処理と、前記所定の色およびブラックを含む複数の色の現像剤を利用して画像を形成するマルチカラーモードが設定されており、且つ前記判断処理にて前記条件を満たしていると判断する場合の前記第２転写器の転写電流値を第１電流値、前記マルチカラーモードが設定されており、且つ前記判断処理にて前記条件を満たしていないと判断する場合の前記第２転写器の転写電流値を第２電流値、前記ブラックの現像剤のみを利用して画像を形成する白黒モードが設定されており、且つ前記判断処理にて前記条件を満たしていると判断する場合の前記第２転写器の転写電流値を第３電流値、および、前記白黒モードが設定されており、且つ前記判断処理にて前記条件を満たしていないと判断する場合の前記第２転写器の転写電流値を第４電流値としたとき、前記第１電流値を、前記第１電流値と前記第２電流値との差の絶対値が、前記第３電流値と前記第４電流値との差の絶対値よりも大きくなる電流値に設定する設定処理と、前記設定処理にて設定された前記第１電流値を用いて、前記マルチカラーモードで画像を形成する画像形成処理と、を実行する。
本構成によれば、ブラックの現像剤に係る感光体以外の、所定の色の現像剤に係る第２転写器のいずれかがシートの搬送方向最下流に配置される場合であっても、マルチカラーモードで画像を形成する際に、シートが搬送体から剥離する際に発生する放電の影響が画質に表れるのを抑制できる。
【００１７】
また、本明細書によって開示される画像形成装置は、シートを搬送する搬送体と、前記搬送体におけるシートを担持する面に対向して配置される複数の感光体であって、第１色の現像剤像を担持する第１感光体と、当該複数の感光体のうち前記搬送体によるシートの搬送方向最下流に配置され、第２色の現像剤を担持する第２感光体と、を含む複数の感光体と、前記複数の感光体の各感光体に対応して設けられる複数の転写器であって、前記第１感光体に担持される前記第１色の現像剤像を、前記搬送体上のシートに転写する第１転写器と、前記第２感光体に担持される前記第２色の現像剤像を、前記搬送体上のシートに転写する第２転写器と、含む複数の転写器と、操作部と、制御部と、を備え、前記制御部は、現像剤像を転写されたシートが前記搬送体から剥離する際に発生する放電の影響が画質に表れやすい条件を満たしているか否かを判断する判断処理と、前記操作部を介して前記第２転写器の転写電流値を設定する要求を受け付ける受付処理と、前記受付処理にて前記要求を受け付け、且つ前記判断処理にて前記条件を満たしていると判断する場合の前記第２転写器の転写電流値を、前記受付処理にて前記要求を受け付けておらず、且つ前記判断処理にて前記条件を満たしていると判断する場合の前記第２転写器の電流値よりも大きい電流値に設定する設定処理と、前記設定処理にて設定された電流値を用いて画像を形成する画像形成処理と、を実行するようにしてもよい。
本構成によれば、特に、シートの搬送方向最下流に配置される感光体で使用する現像剤の色および印字モードに関わらず、受付要求によって第２転写器の転写電流値を、上記条件を満たす場合から更に増加させることによって、シートが搬送体から剥離する際に発生する放電の影響が画質に表れるのを抑制できる。
【００１８】
上記画像形成装置において、前記制御部は、前記判断処理において、前記条件を満たしているか否かの判断として、前記第２色の現像剤のみを利用して画像を形成する単色モードか否かを判断するようにしてもよい。
【００１９】
通常、単色モードのときは、マルチカラーモードと比べて、シートが搬送体から剥離する際に発生する放電の影響が画質に表れやすい。そのため、単色モードの場合において上記要求を受け付けた場合、シートの搬送方向最下流に配置される転写器の転写電流値を単色モードにおいて上記要求を受け付けなかった場合よりも大きくすることによって、シートが搬送体から剥離する際に発生する放電の影響が画質に表れるのを抑制できる。
【発明の効果】
【００２０】
本発明によれば、放電の影響が画質に表れやすい条件を満たしている場合にのみ、言い換えれば、必要なときに、第２転写器の転写電流値が通常環境時（条件を満たしていない場合）より大きく設定される。そのため、シートが搬送体から剥離する際に発生する放電の影響が画質に表れるのを、必要時に抑制することができる。
【図面の簡単な説明】
【００２１】
【図１】本発明の一実施形態に係るレーザプリンタの概略構成を示す側断面図
【図２】高電圧生成回路の構成を示すブロック図
【図３】実施例１の転写電流設定処理を示すフローチャート
【図４】通常環境用（デフォルト）の転写電流値の例を示すテーブル
【図５】実施例１における特殊環境用の転写電流値の例を示すテーブル
【図６】実施例２の転写電流設定処理を示すフローチャート
【図７】電流値特殊変更用の転写電流値の例を示すテーブル
【図８】実施例３の転写電流設定処理を示すフローチャート
【図９】実施例３における特殊環境用の転写電流値の例を示すテーブル
【図１０】変更例（２）にて使用する別の通常環境用の転写電流値の例を示すテーブル
【図１１】変更例（２）にて使用する別の特殊環境用の転写電流値の例を示すテーブル
【図１２】変更例（３）にて使用する転写電流値の例を示すテーブル群であって、このうち（ａ）は通常環境用の転写電流値の例を示すテーブルであり、（ｂ）は特殊環境用の転写電流値の例を示すテーブルであり、（ｃ）は電流値特殊変更用の転写電流値の例を示すテーブルである。
【図１３】変更例（３）にて使用する別の転写電流値の例を示すテーブル群であって、このうち（a）はマルチカラーモード用の転写電流値の例を示すテーブルであり、（ｂ）は単色モード用の転写電流値の例を示すテーブルであり、（ｃ）は単色モードにおける電流値特殊変更用の転写電流値の例を示すテーブルである。
【００２２】
＜実施形態＞
本発明の一実施形態を、図１〜図９を参照して説明する。
【００２３】
１．全体構成
図１に示されるように、画像形成装置の一例としてのレーザプリンタ１は、例えばブラック（Ｋ）、シアン（Ｃ）、マゼンタ（Ｍ）、イエロー（Ｙ）の各色に対応する４つの感光体ドラム３０を備えた、いわゆるダイレクトタンデム型のカラーレーザプリンタである。なお、画像形成装置はカラーレーザプリンタに限られず、例えば、カラーＬＥＤプリンタ、モノクロプリンタ等であってもよい。また、コピー機能等を備えた、いわゆる複合機であってもよい。
【００２４】
レーザプリンタ（以下、単に「プリンタ」と記載する）１は、本体ケーシング２内に、画像を形成するためのシート３を給紙するための給紙部４、感光体ドラム３０を露光するスキャナ部１８、給紙されたシート３に画像を形成するための画像形成ユニット２０、および画像形成ユニット２０に対してシート３を搬送するシート搬送部３５などを備えている。なお、以下の説明において、図１における右側をプリンタ１の前方とする。シート３の例としては、紙やＯＨＰシート等である。
【００２５】
給紙部４は、本体ケーシング２内の底部において、給紙トレイ７、ピックアップローラ８、および一対のレジストローラ１２Ａ，１２Ｂとを備える。給紙トレイ７の最上位にあるシート３は、ピックアップローラ８の回転によってピックアップされ、レジストローラ１２Ａ，１２Ｂに搬送される。レジストローラ１２Ａ，１２Ｂは、シート３をレジスト後に、シート搬送部３５の搬送ベルト３８上へ搬送する。
【００２６】
スキャナ部１８は、本体ケーシング２内の最上部に設けられ、所定の画像データに基づいた各色毎のレーザ光Ｌを対応する感光体ドラム３０の表面上に照射する。
【００２７】
画像形成ユニット２０は、感光体ドラム３０、スコロトロン型帯電器３１、および４つの現像カートリッジ（２２Ｋ、２２Ｃ、２２Ｍ、２２Ｙ）を含む。各現像カートリッジ２２は、トナー（現像剤）が充填されるトナー収容室２４、供給ローラ２５、現像ローラ２６を含む。現像時には、トナー収容室２４から放出されたトナーが供給ローラ２５の回転によって、現像ローラ２６に供給される。
【００２８】
スコロトロン型帯電器３１は、含まれる帯電用ワイヤからコロナ放電を発生させることにより、感光体ドラム３０の表面を一様に、例えば、正極性に帯電させる。感光体ドラム３０の表面は、その回転時、まず、スコロトロン型帯電器３１により一様に例えば＋９００Ｖに正帯電される。その後、スキャナ部１８からのレーザ光の高速走査により露光されて表面電位が部分的に例えば＋１００Ｖにされることで、シート３に形成すべき画像に対応した静電潜像が形成される。
【００２９】
次いで、現像ローラ２６の回転により、現像ローラ２６上に担持されかつ例えば＋４５０Ｖに正帯電されているトナーが、感光体ドラム３０に対向して接触するときに、感光体ドラム３０の表面上に形成されている静電潜像に供給される。これにより、感光体ドラム３０の静電潜像は、可視像化され、感光体ドラム３０の表面には、トナー像が担持される。
【００３０】
その後、感光体ドラム３０の表面上のトナー像は、搬送ベルト３８によって搬送されるシート３が、感光体ドラム３０と転写ローラ３９との間の転写位置（ニップ部）を通る間に、転写ローラ３９に印加される負極性の転写バイアス（例えば、−７００Ｖ）によって、シート３に転写される。シート３は、こうして、搬送ベルト３８によって水平方向後方に搬送されつつトナー像が転写され、その後、シート搬送部３５の後上方に配置されている定着器４２に搬送される。
【００３１】
ここで、感光体ドラム３０Ｙ，３０Ｍ，３０Ｃ，３０Ｋは、複数の感光体の一例であり、感光体ドラム３０Ｙ，３０Ｍ，３０Ｃは第１感光体の一例であり、感光体ドラム３０Ｋは第２感光体の一例である。
【００３２】
また、転写ローラ３９Ｙ，３９Ｍ，３９Ｃ，３９Ｋは、複数の転写器の一例であり、転写ローラ３９Ｙ，３９Ｍ，３９Ｃは第１転写器の一例であり、転写ローラ３９Ｋは第２転写器の一例である。
【００３３】
定着器４２は、対向配置された加熱ローラ４３および加圧ローラ４４を含み、シート３上に転写されたトナー像を紙面に熱定着させる。そして、熱定着されたシート３は、搬送ローラ４５により排紙ローラ４６へ搬送され、排紙ローラ４６から排出された画像形成後のシート３が排紙トレイ４７上に積層される。
【００３４】
シート搬送部３５は、画像形成ユニット２０の下方に配置されている。シート搬送部３５は、後側と前側とに間隔をおいて互いに平行に設けられた一対のベルト支持ローラ３６，３７と、両ローラ３６，３７間に掛け渡された搬送ベルト（搬送体の一例）３８とを含む。
【００３５】
搬送ベルト３８の内側には、画像形成ユニット２０の各感光体ドラム３０と搬送ベルト３８を挟んで対向配置される４つの転写ローラ３９が設けられている。また、搬送ベルト３８の下側には、搬送ベルト３８上に付着した残留トナーを清掃するためのクリーニングローラ４０を有するベルトクリーニング部４１が設けられている。
【００３６】
また、本体ケーシング２の上部には、印字指示等を行う操作ボタン、および表示部を含む操作パネル（操作部の一例）６が設けられている。操作パネル６を介して、印字モードを白黒モードあるいはマルチカラーモードに設定可能である。ここで、白黒モードとは、ブラック（Ｋ）の現像剤のみを利用して画像を形成する印字モードである。また、マルチカラーモードとは、シアン（Ｃ）、マゼンタ（Ｍ）、イエロー（Ｙ）およびブラック（Ｋ）を含む複数の色の現像剤を利用して画像を形成する印字モードである。また、シアン（Ｃ）、マゼンタ（Ｍ）、およびイエロー（Ｙ）は、所定の色の一例である。また、本体ケーシング２内には、プリンタ１内の湿度を検出する、湿度センサ１０が設けられている。
【００３７】
２．高電圧生成回路の構成
プリンタ１内には、４つの高電圧生成回路６０が４つの転写ローラ３９に１対１に対応して設けられている。各高電圧生成回路６０は、対応する転写ローラ３９に印加する転写電圧Ｖｔを生成するためのものである。プリンタ１には、さらに、ＣＰＵ（制御部の一例）６１とメモリ６５とが設けられている。ＣＰＵ６１には上記４つの高電圧生成回路６０が接続されている。ＣＰＵ６１にはさらに湿度センサ１０も接続されている。なお、制御部は、ＣＰＵに限られず、例えば、ＡＳＩＣ（特定用途向けＩＣ）、あるいはＡＳＩＣとＣＰＵとを組み合わせたものであってもよい。
図２には、４つの高電圧生成回路６０のうち１つの高電圧生成回路６０が示されている。他の高電圧生成回路６０は、図２に示された高電圧生成回路６０と同一の構成を有している。また、プリンタ１には、現像ローラ２６、スコロトロン型帯電器３１およびクリーニングローラ４０等に印加する各高電圧を生成するための高電圧生成回路も別途設けられている。
【００３８】
図２に示すように、高電圧生成回路６０は、転写電圧印加回路６２、電圧検出回路６３、および電流検出回路６４を備えている。
【００３９】
転写電圧印加回路６２は、例えば、ＰＷＭ信号平滑回路、昇圧トランス、平滑整流回路を含み、ＣＰＵ６１からのＰＷＭ（Pulse Width Modulation；パルス幅変調）信号によって定電流制御される。通常の転写制御時においては、例えば、負の高電圧である、−７００Ｖの転写電圧Ｖｔが生成される。転写電圧Ｖｔは、転写ローラ３９を介して搬送ベルト３８に印加される。また、転写電圧Ｖｔは負電圧であるため、転写電流Ｉｔは、図２に示されるように、転写電圧印加回路６２から、電流検出回路６４、グランド、感光体ドラム３０、搬送ベルト３８、および転写ローラ３９の順に流れる。このように流れる転写電流Ｉｔを、以下において、例えば、−１０μＡのように負（マイナス）電流として記載する。
【００４０】
電圧検出回路６３は、例えば分圧抵抗によって構成され、転写電圧Ｖｔを分圧して電圧検出信号Ｓｖを生成し、電圧検出信号ＳｖをＣＰＵ６１に供給する。電流検出回路６４は、例えば、転写電圧印加回路６２の昇圧トランスの二次巻き線とグランドとの間に接続された２個の分圧抵抗によって構成される。電流検出回路６４は、分圧抵抗間において電流検出信号（電圧信号）Ｓｉを生成し、電流検出信号ＳｉをＣＰＵ６１に供給する。
【００４１】
メモリ６５には、ＣＰＵ６１が実行するプログラム、およびプログラムが実行される際のデータ等が記憶されている。例えば、メモリ６５には、後述する転写電流設定処理プログラム（図３）、通常環境用電流値テーブル（図４）、及び、特殊環境用電流値テーブル（１）（図５）が格納されている。なお、メモリ６５は、ＲＯＭ、ＲＡＭ、およびＥＥＰＲＯＭ等を含む。
【００４２】
ＣＰＵ６１は、通常の転写制御において、電流検出信号（フィードバック信号）Ｓｉを受け取り、電流検出信号Ｓｉが所定の値となるように転写電圧印加回路６２を制御することによって、転写電流Ｉｔを定電流制御する。すなわち、ＣＰＵ６１は、転写電流Ｉｔが定電流となるように、転写電圧印加回路６２による転写電圧Ｖｔの生成を制御する。ＣＰＵ６１は、転写電圧印加回路６２を制御して、後述する転写電流設定処理を行う。また、ＣＰＵ６１は、画像形成に係るプリンタ１内の各部の制御も行う。
【００４３】
３．転写電流設定処理
次に、図３から図９を参照して、ＣＰＵ６１によって実行される転写電流設定処理について、実施例１−実施例３を例に説明する。転写電流設定処理は、例えば、ユーザによる操作パネル６からの印字指令を受けた場合に実行される。
【００４４】
３−１．実施例１
まず、図３から図５を参照して、実施例１を説明する。転写電流設定処理の実施例１において、図３に示されるように、ＣＰＵ６１は、まず、湿度センサ１０からの検出信号に基づいて、プリンタ１内の湿度が低湿度か否かを判断する（ステップＳ１０）。
【００４５】
ここで、プリンタ１内の湿度が低湿度であることは、「現像剤像を転写されたシートが搬送体から剥離する際に発生する放電の影響が画質に表れやすい条件」の一例である。また、ステップＳ１０の処理は、同条件を満たしているか否かを判断する判断処理の一例である。また、例えば、低湿度は４０％未満の範囲の湿度であり、中湿度は４０％以上８０％未満の範囲の湿度であり、高湿度は８０％以上の範囲の湿度である。
【００４６】
プリンタ１内の湿度が低湿度でないと判断した場合（ステップＳ１０：ＮＯ）、すなわち、プリンタ１内の湿度が、中湿度あるいは高湿度であると判断した場合は、例えば、図４に示すような「通常環境用（デフォルト）電流値テーブル」を使用して、各色の転写電流Ｉｔを、白黒モードあるいはマルチカラーモードの印字モードに応じて設定する（ステップＳ２０：設定処理の一例）。
【００４７】
そして、ＣＰＵ６１は、図４に示すような各設定電流値を用いて各転写電圧印加回路６２を制御するとともに、各画像形成ユニット２０を制御して、シート３に画像を形成する画像形成処理を行う（ステップＳ８０）。
【００４８】
ここで、ステップＳ２０の設定処理において、ＣＰＵ６１は、第２電流値と第４電流値とを、同じ値に設定する。すなわち、図４の通常環境用電流値テーブルに示される、白黒モードでの転写ローラ３９Ｋの転写電流値と、図４の通常環境用電流値テーブルに示される、マルチカラーモードでの転写ローラ３９Ｋの転写電流値と、同一の、例えば「−１２μＡ」とされる。これによって、通常環境時の、すなわち、シート３が搬送ベルト３８から剥離する際に発生する放電の影響が画質に表れやすい条件が満たされない場合の、言い換えれば、通常環境時の場合の、白黒モードとマルチカラーモードとで画質の統一性を維持できる。なお、この場合、白黒モードとマルチカラーモードとの転写ローラ３９Ｋの転写電流値の値は必ずしも同一値である必要はない。例えば、「−１μＡ」程度の多少の誤差があってもよい。
【００４９】
一方、プリンタ１内の湿度が低湿度であると判断した場合（ステップＳ１０：ＹＥＳ）、次いで、ＣＰＵ６１は、シート３が厚いシートであるか否かを判断する（ステップＳ３０）。ここで、シート３が厚いシートであることは、「シートが腰の強いこと」の一例であり、また、上記条件の一例である。また、ステップＳ３０の処理は、判断処理の一例である。また、厚いシートとは、例えば、１５０μｍ以上であり、厚いシートでないとは、例えば、１５０μｍ未満である。なお、「シートが腰の強いこと」には、シート３の剛性が高いことも含まれる。
【００５０】
シート３が厚いシートでないと判断した場合（ステップＳ３０：ＮＯ）、ステップＳ２０の処理に移行する。一方、シート３が厚いシートであると判断した場合（ステップＳ３０：ＹＥＳ）、次いで、ＣＰＵ６１は、シート３の幅が小さい否かを判断する（ステップＳ４０）。ここで、シート３の幅が小さいことは、上記条件の一例であり、ステップＳ４０の処理は、判断処理の一例である。また、幅が小さいシート３とは、例えば、はがきサイズであり、幅が小さくないシート３とは、例えば、Ａ４サイズやレターサイズである。
【００５１】
シート３の幅が小さくない、すなわち、シート３の幅が大きいと判断した場合（ステップＳ４０：ＮＯ）は、ステップＳ２０の処理に移行する。一方、シート３の幅が小さいと判断した場合（ステップＳ４０：ＹＥＳ）は、ＣＰＵ６１は、例えば操作パネル６を介して、第１電流値を設定するユーザの電流値設定要求が有るか否かを判断する（ステップＳ５０）。ユーザは、画質に対する放電の影響を低減したいと考える場合に、操作パネル６を操作して電流値設定要求を入力する。特に白黒モードの場合には、放電の影響によって黒トナーが飛散すると、画質が著しく低下する。そこで、ユーザは、特に白黒モードの場合に、電流値設定要求を入力することが想定される。
【００５２】
ユーザの電流値設定要求がないと判断した場合（ステップＳ５０：ＮＯ）、ＣＰＵ６１は、例えば、図５に示すような「特殊環境用電流値テーブル（１）」を使用して、各色の転写電流Ｉｔを、白黒モードあるいはマルチカラーモードの印字モードに応じて設定する（ステップＳ６０）。次いで、ＣＰＵ６１は、各設定電流値を用いて各転写電圧印加回路６２を制御するとともに、各画像形成ユニット２０を制御して、白黒モードあるいはマルチカラーモードでシート３に画像を形成する画像形成処理を行う（ステップＳ８０）。
【００５３】
なお、本実施形態において、「特殊環境」とは、トナー（現像剤像）を転写されたシートが（搬送体）から剥離する際に発生する放電の影響が画質に表れやすい条件を満たしている環境を意味し、例えば、低湿度であること、シート３が厚いシートであること、およびシート３の幅が小さいことを含む。また、「通常環境」とは、例えば、低湿度でないこと等、上記「特殊環境」の条件を満たさない環境を意味する。
【００５４】
一方、ユーザの電流値設定要求が有ると判断した場合（ステップＳ５０：ＹＥＳ、受付処理の一例）、「特殊環境用電流値テーブル（１）」に示される白黒モードのＫ色の電流値のみ「−１５μＡ」から、例えば、「−２０μＡ」に変更し、その他の転写電流Ｉｔに関しては、「特殊環境用電流値テーブル（１）」を使用して設定する（ステップＳ７０）。ここで、変更された「−２０μＡ」の電流値は、第１電流値の一例である。また、ステップＳ７０の処理は、本発明における「設定処理」の一例である。このように、シート３が搬送ベルト３８から剥離する際に発生する放電の影響が画質に表れやすい場合、ユーザは操作パネル６を介して電流値設定要求を入力することにより、第１電流値を設定できる。
【００５５】
次いで、ＣＰＵ６１は、図５に示すような各設定電流値、およびユーザの設定要求に応じて設定された白黒モードのＫ色の電流値（第１電流値）を用いて各転写電圧印加回路６２を制御するとともに、画像形成ユニット２０を制御して、白黒モードでシート３に画像を形成する画像形成処理を行う（ステップＳ８０）。
【００５６】
ここで、ステップＳ７０によって設定された白黒モードのＫ色の電流値「−２０μＡ」、すなわち、白黒モードが設定されており、且つ判断処理にて条件を満たしていると判断する場合の転写ローラ３９Ｋ（第２転写器）の転写電流値を第１電流値とする。なお、転写ローラ３９Ｋは、シート３の搬送方向最下流に配置される感光体ドラム３０Ｋに、搬送ベルト３８を介して対向する。
【００５７】
また、図４に示されるように、白黒モードが設定されており、且つ判断処理にて条件を満たしていないと判断する場合の、すなわち、通常環境時の転写ローラ３９Ｋの転写電流値を第２電流値とする。
【００５８】
また、図５に示されるように、マルチカラーモードが設定されており、且つ判断処理にて条件を満たしていると判断する場合の転写ローラ３９Ｋの転写電流値を第３電流値とする。
【００５９】
また、図４に示されるように、マルチカラーモードが設定されており、且つ判断処理にて条件を満たしていないと判断する場合の、すなわち、通常環境時の転写ローラ３９Ｋの転写電流値を第４電流値とする。
【００６０】
この場合において、ＣＰＵ６１は、第１電流値を、第１電流値と第２電流値との差の絶対値が、第３電流値と第４電流値との差の絶対値よりも大きくなる電流値に設定する。すなわち、次の不等式（１）を満たすように第１電流値が設定される。
【００６１】
｜第１電流値−第２電流値｜＞｜第３電流値−第４電流値｜  ……（１）
例えば、図４、図５、およびステップＳ７０で示されるように、第１電流値は「−２０μＡ」に設定され、第２電流値は「−１２μＡ」に設定され、第３電流値は「−１５μＡ」に設定され、第４電流値は「−１２μＡ」に設定される。この場合、
｜第１電流値−第２電流値｜＝｜−２０−（−１２）｜＝８
｜第３電流値−第４電流値｜＝｜−１５−（−１２）｜＝３
となって、不等式（１）を満たす。
【００６２】
また、ステップＳ７０の設定処理において、ＣＰＵ６１は、湿度によって第１電流値を変更する。すなわち、ＣＰＵ６１は、湿度が低くなるに応じて第１電流値の絶対値がより大きい値となるよう、第１電流値を設定する。その一方で、白黒モードが設定されており、且つ判断処理にて条件を満たしていると判断する場合の転写ローラ３９Ｙ，３９Ｍ，３９Ｃ（第１転写器）の転写電流値は、湿度が変わっても同じ値に設定する。すなわち、図４の通常環境用電流値テーブルに示される、白黒モードでの転写ローラ３９Ｙ，３９Ｍ，３９Ｃの転写電流値と、図５の特殊環境用電流値テーブル（１）、すなわち、湿度が変わった後の電流値テーブルに示される、白黒モードでの転写ローラ３９Ｙ，３９Ｍ，３９Ｃの転写電流値とは、同一の「−３μＡ」とされる。それによって、湿度が変わっても白黒モードでの画質の統一性を維持できる。その際、通常環境時と湿度の変化後との転写ローラ３９Ｙ，３９Ｍ，３９Ｃの転写電流値の値は必ずしも同一値である必要はない。例えば、「−１μＡ」程度の多少の誤差があってもよい。
【００６３】
また、ステップＳ７０の設定処理において、ＣＰＵ６１は、白黒モードでの転写ローラ３９Ｙ，３９Ｍ，３９Ｃ（第１転写器）の転写電流値を、絶対値として、マルチカラーモードでの転写ローラ３９Ｙ，３９Ｍ，３９Ｃの転写電流値よりも小さい転写電流値に設定する。すなわち、例えば、図５に示されるように、白黒モードでの転写ローラ３９Ｙの転写電流値は「−３μＡ」に、マルチカラーモードでの転写ローラ３９Ｙの転写電流値は「−１０μＡ」に設定される。また、白黒モードでの転写ローラ３９Ｍの転写電流値は「−３μＡ」に、マルチカラーモードでの転写ローラ３９Ｍの転写電流値は「−１２μＡ」に設定される。また、白黒モードでの転写ローラ３９Ｃの転写電流値は「−３μＡ」に、マルチカラーモードでの転写ローラ３９Ｃの転写電流値は「−１２μＡ」に設定される。このように、転写ローラ３９Ｙ，３９Ｍ，３９Ｃ（第１転写器）の転写電流値の絶対値は、白黒モードの場合よりマルチカラーモードの場合の方が大きくなるように設定される。白黒モードでは、転写ローラ３９Ｙ，３９Ｍ，３９Ｃの転写電流値は、シート３を搬送ベルト３８に吸着させるのに必要な大きさであればよい。一方、マルチカラーモードでは、転写ローラ３９Ｙ，３９Ｍ，３９Ｃ（第１転写器）の転写電流値は、シート３を搬送ベルト３８に吸着させ、しかも、トナー像を感光体ドラム３０から転写ローラ３９Ｙ，３９Ｍ，３９Ｃに転写することができる大きさである。
【００６４】
この場合、白黒モードでの第１転写器の転写電流値は、マルチカラーモードでの第１転写器の転写電流値よりも小さいため、白黒モードにおけるシートの搬送体への吸着力が弱く、シートが搬送体から剥離する際に発生する放電の影響が画質に表れやすい。しかしながら、第２転写器の電流値をマルチカラーモードでの第２転写器の電流値よりも大きくするため、シートが搬送体から剥離する際に発生する放電の影響が画質に表れるのを抑制できる。
【００６５】
なお、「特殊環境用電流値テーブル（１）」において、白黒モードのＫ色の電流値を、第１電流値として、例えば「−２０μＡ」としてもよい（図９参照）。そして、ユーザの電流値設定要求が有ると判断した場合（ステップＳ５０：ＹＥＳ）、第１電流値を、絶対値として、要求を受け付けない場合の第１電流値よりも大きい値に設定変更するようにしてもよい。例えば、第１電流値の「−２０μＡ」を、さらに「−２３μＡ」に設定変更する（ステップＳ７０）。この場合、シート３が搬送ベルト３８から剥離する際に発生する放電の影響が画質に表れやすい場合、ユーザが操作パネル６を介して電流値設定要求を入力することにより、第１電流値を設定変更できる。
【００６６】
３−２．実施例２
次に、図６および図７を参照して、転写電流設定処理の実施例２を説明する。なお、実施例１との相違点は、図３のステップＳ７０の処理に代えて、図６のステップＳ７０Ａの処理を行う点のみである。そのため、図６において、図３の処理と同一の処理には同一のステップ符号を付し、その説明を省略する。また、実施例２では、図４の通常環境用電流値テーブルと図５の特殊環境用電流値テーブル（１）に加えて、図７に示す電流値特殊変更テーブルが、メモリ６５に格納されている。
【００６７】
実施例２においては、ＣＰＵ６１は、ユーザの電流値設定要求が有ると判断した場合（ステップＳ５０：ＹＥＳ）、各転写電流Ｉｔを図７に示される、「電流値特殊変更テーブル」を使用して設定する（ステップＳ７０Ａ）。ステップＳ７０Ａの処理は、本発明における「設定処理」の一例である。
【００６８】
すなわち、「電流値特殊変更テーブル」では、白黒モードのＫ色の電流値が、第1電流として、例えば、「−２０μＡ」とされている。すなわち、実施例２では、ユーザの電流値設定要求が有る場合、既に「電流値特殊変更テーブル」に設定された、白黒モードのＫ色の電流値が使用される。そのため、ＣＰＵ６１は、テーブルに設定された白黒モードのＫ色の電流値を変更する必要がない。そのため、実施例１と比べて、転写電流設定処理におけるＣＰＵ６１の負荷を低減することができる。
【００６９】
３−３．実施例３
次に、図８および図９を参照して、転写電流設定処理の実施例３を説明する。なお、実施例１との相違点は、図３のステップＳ５０およびステップＳ７０が省略されることと、図３のステップＳ６０の処理に代えて、図８のステップＳ６０Ａの処理を行う点のみである。そのため、図８において、図３の処理と同一の処理には同一のステップ符号を付し、その説明を省略する。また、実施例３では、図５に示す特殊環境用電流値テーブル（１）の代わりに、図９に示す特殊環境用電流値テーブル（２）がメモリ６５に格納されている。
【００７０】
すなわち、実施例３においては、実施例１のユーザからの電流値設定要求の受付処理（ステップＳ５０：受付処理）、およびそれに関連するステップＳ７０の処理は省略される。
【００７１】
そのため、ＣＰＵ６１は、シート３の幅が小さいと判断した場合（ステップＳ４０：ＹＥＳ）、各転写電流Ｉｔを図９に示される、「特殊環境用電流値テーブル（２）」を使用して設定する（ステップＳ６０Ａ）。ステップＳ６０Ａの処理は、本発明における「設定処理」の一例である。
【００７２】
すなわち、「特殊環境用電流値テーブル（２）」では、白黒モードのＫ色の電流値が、第1電流として、例えば、「−２０μＡ」とされている。すなわち、実施例３では、放電の影響が画質に表れやすい条件を満たしている場合、各転写電流Ｉｔは、単に、図９に示される、「特殊環境用電流値テーブル（２）」を使用して設定される。
【００７３】
なお、その際、ＣＰＵ６１は、湿度が低くなるに応じて、第１電流値を、絶対値として、より大きい値に設定するようにしてもよい。例えば、湿度が低くなるに応じて、第１電流値を「−２５μＡ」、あるいは「−３０μＡ」に設定するようにしてもよい。この場合、湿度の変化にきめ細かく対応して、シート３が搬送ベルト３８（搬送体）から剥離する際に発生する放電の影響が画質に表れるのを抑制できる。
【００７４】
４．実施形態の効果
ＣＰＵ６１は、放電の影響が画質に表れやすい条件を満たしている場合（ステップＳ１０：ＹＥＳ、ステップＳ３０：ＹＥＳ、ステップＳ４０：ＹＥＳ）、第１電流値を、第１電流値と第２電流値との差の絶対値が、第３電流値と第４電流値との差の絶対値よりも大きくなる電流値（−２０μＡ）に設定する。そしてＣＰＵ６１は、設定された第１電流値を用いて、白黒モードで画像を形成する。すなわち、放電の影響が画質に表れやすい条件を満たしている場合の転写ローラ３９Ｋに供給される転写電流Ｉｔの通常環境時（デフォルト値）からの増加量は、マルチカラーモードの印字の場合（３μＡ）と比べて白黒モードの印字の場合（８μＡ）の方が大きい。このように、増加量をマルチカラーモードと白黒モードとにおいて異ならせることによって、放電の影響が画質に表れやすい条件を満たしている場合において、特に白黒モードでの放電の影響が画質に表れるのを抑制できる。マルチカラーモードでは、黒トナーの使用量は他の色のトナーに比べて少ないため、放電の影響で黒トナーが飛散しても目立ちにくい。一方、白黒モードでは、黒トナーが飛散すると目立ちやすいため、白黒モードの方がマルチカラーモードより放電の影響が画質に表れやすい。
【００７５】
また、放電の影響が画質に表れやすい条件を満たしている場合にのみ、言い換えれば、必要なときに、転写ローラ３９Ｋの転写電流値が通常環境時（条件を満たしていない場合）より大きく設定される。そのため、必要なときに、シート３が搬送ベルト３８から剥離する際に発生する放電の影響が画質に表れるのを抑制できる。
【００７６】
また、放電の影響が画質に表れやすい条件を満たしている場合として、プリンタ１の湿度が低湿度であることとされる（ステップＳ１０：ＹＥＳ）。低湿度のときは、高湿度と比べて、シート３が搬送ベルト３８から剥離する際に発生する放電の影響が画質に表れやすい。すなわち、低湿度のときは高湿度のときと比べて、シート３が搬送ベルト３８から剥離する際に放電が発生しやすい。そのため、低湿度の場合、転写ローラ３９Ｋの転写電流値を通常環境時よりも大きくすることによって、ブラックトナー（Ｋ）のシート３への転写性を高めることできる。それによって、シート３が搬送ベルト３８から剥離する際に発生する放電によって、ブラックトナー（Ｋ）が飛散して画質に影響が出ることを抑制できる。
【００７７】
また、放電の影響が画質に表れやすい条件を満たしている場合として、画像の形成に用いられるシート３が厚いシートであること、言い換えれば、シート３が腰の強いシートであることとされる（ステップＳ３０：ＹＥＳ）。腰の強いシートは、腰の弱いシートと比べて、シート３が搬送ベルト３８から剥離する際に発生する放電の影響が画質に表れやすい。すなわち、経験的に、腰の強いシートは、腰の弱いシートと比べて、シート３が搬送ベルト３８から剥離する際に放電が発生しやすいことが知られている。すなわち、シート３は、その搬送方向先端が定着器４２に到達し加熱ローラ４３と加圧ローラ４４との間に挟み込まれると、加熱ローラ４３と加圧ローラ４４とにより、搬送ベルト３８から定着器４２に向かって後上方へ引っ張られていく。この時、シート３の腰が強いと、シート３は湾曲できず、シート３のうち搬送ベルト３８上に残っている部分が強制的に搬送ベルト３８から浮き上がり、シート３と搬送ベルト３８との間に放電が発生する。一方、シート３の腰が弱い場合には、シート３は曲がることができるため、シート３が加熱ローラ４３と加圧ローラ４４とにより搬送ベルト３８から定着器４２に向かって後上方へ引っ張られていくにつれて、シート３は搬送ベルト３８上から徐々に剥離する。この時、腰の弱いシート３と搬送ベルト３８との間でも放電が起こる。しかし、腰の強いシート３と搬送ベルト３８との間で起こる放電は、腰の弱いシート３と搬送ベルト３８との間で起こる放電よりも、放電の電圧が大きくなる。そのため、放電の影響が画質に表れやすい。しかし、腰の強いシートの場合、転写ローラ３９Ｋの転写電流値を通常環境時よりも大きくすることによって、トナーのシート３に対する吸着力を高くする。つまり、ブラックトナー（Ｋ）のシート３への転写性を高めることできる。それによって、シート３が搬送ベルト３８から剥離する際に発生する放電の影響が画質に表れるのを抑制できる。
【００７８】
また、放電の影響が画質に表れやすい条件を満たしている場合として、画像の形成に用いられるシート３の幅が小さいこととされる（ステップＳ４０：ＹＥＳ）。幅の小さいシートは、幅の大きいシートと比べて、シート３が搬送ベルト３８から剥離する際に発生する放電の影響が画質に表れやすい。すなわち、経験的に、幅の小さいシートは、幅の大きいシートと比べて、シート３が搬送ベルト３８から剥離する際に放電が発生しやすいことが知られている。そのため、幅の小さいシートの場合、転写ローラ３９Ｋの転写電流値を通常環境時よりも大きくすることによって、ブラックトナー（Ｋ）のシート３への転写性を高めることできる。それによって、シート３が搬送ベルト３８から剥離する際に発生する放電の影響が画質に表れるのを抑制できる。なお、腰が強く、かつ、幅の小さいシートとして、例えば、はがき等が挙げられる。すなわち、本実施形態は、はがき等への印字の際に好適と言える。
【００７９】
＜他の実施形態＞
本発明は上記記述及び図面によって説明した実施形態に限定されるものではなく、例えば次のような実施形態も本発明の技術的範囲に含まれる。
【００８０】
（１）上記実施形態では、シート３が搬送ベルト３８から剥離する際に発生する放電の影響を抑制するための、転写電流値の設定（ステップＳ６０、Ｓ６０Ａ、Ｓ７０、Ｓ７０Ａ）を、３つの判断処理（３つの条件）、すなわち、図３、図６、および図８のステップＳ１０、Ｓ３０、およびＳ４０に基づいて行う例を示したがこれに限られない。
【００８１】
３つの判断処理のうち、少なくとも１つの判断処理（少なくとも１つ条件）を行えばよく、例えば、判断処理として、ステップＳ１０のみを行いようにしてもよい。その場合、転写電流設定処理では、ステップＳ１０、ステップＳ１０で否定判定の場合（ステップＳ１０：ＮＯ）にステップＳ２０、ステップＳ１０で肯定判定の場合（ステップＳ１０：ＹＥＳ）にステップＳ５０以降（図３、図６参照）、あるいはステップＳ６０Ａ以降（図８参照）の処理を実行するようにすればよい。
【００８２】
あるいは、判断処理としてのステップＳ４０、およびステップＳ５０の処理を省略して、ステップＳ１０で肯定判定の場合（ステップＳ１０：ＹＥＳ）に、ステップＳ３０の処理に移行するようにしてもよい。そして、ステップＳ３０で肯定判定の場合（ステップＳ３０：ＹＥＳ）に、ステップＳ６０あるいはＳ６０Ａ、およびステップＳ８０を実行するようにすればよい。
【００８３】
あるいは、判断処理としてステップＳ３０およびＳ４０の処理を省略して、ステップＳ１０で肯定判定の場合（ステップＳ１０：ＹＥＳ）に、ステップＳ５０以降の処理に移行するようにしてもよい。
【００８４】
あるいは、判断処理として、単にステップＳ４０の処理を省略するようにしてもよい。
【００８５】
（２）上記実施形態では、シートの搬送方向最下流に配置された感光体ドラムが、ブラックの現像剤を担持する感光体ドラム３０Ｋである場合を示したが、これに限られない。すなわち、感光体ドラム３０Ｋ以外の感光体ドラム３０Ｙ，３０Ｍ，３０Ｃ（所定の色の現像剤を担持する第２感光体）のいずれかがシート３の搬送方向最下流に配置される場合であってもよい。例えば、図１０および図１１には、感光体ドラム３０を、搬送方向に３０Ｋ，３０Ｙ，３０Ｍ，３０Ｃの順に配置し感光体ドラム３０Ｃがシート３の搬送方向最下流に配置される場合が示される。
【００８６】
その際、ブラックの現像剤像を搬送ベルト３８上のシート３に転写する転写ローラ３９Ｋを第１転写器とし、第２感光体に担持される所定の色の現像剤像を、搬送ベルト３８上のシート３に転写する転写ローラ３９Ｃを第２転写器とする。
【００８７】
そして、マルチカラーモードが設定されており、且つ判断処理にて、現像剤像を転写されたシート３が搬送ベルト３８から剥離する際に発生する放電の影響が画質に表れやすい条件を満たしていると判断する場合の転写ローラ３９Ｃの転写電流値を第１電流値（−２０μＡ）、マルチカラーモードが設定されており、且つ判断処理にて上記条件を満たしていないと判断する場合の転写ローラ３９Ｃの転写電流値を第２電流値（−１２μＡ）、白黒モードが設定されており、且つ判断処理にて上記条件を満たしていると判断する場合の転写ローラ３９Ｃの転写電流値を第３電流値（−１５μＡ）、および、白黒モードが設定されており、且つ判断処理にて上記条件を満たしていないと判断する場合の転写ローラ３９Ｃの転写電流値を第４電流値（−１２μＡ）とする。
【００８８】
その際、ＣＰＵ６１は、設定処理において、上記不等式（１）を満たすように、第１〜第４電流値を設定する（図１０および図１１参照）。そして、画像形成処理において、第１電流値（−２０μＡ）を用いて、マルチカラーモードで画像を形成するようにすればよい。例えば、図１０の通常環境用電流値テーブルと図１１の特殊環境用電流値テーブルとをメモリ６５に格納しておく。図８のフローにおいて、Ｓ２０で図１０の通常環境用電流値テーブルを使用して転写電流値を設定し、Ｓ６０Ａで図１１の特殊環境用電流値テーブルを使用して転写電流値を設定すればよい。もしくは、図３のフローにおいて、Ｓ２０で図１０の通常環境用電流値テーブルを使用して転写電流値を設定し、Ｓ６０で図１１の特殊環境用電流値テーブルを使用して転写電流値を設定し、Ｓ７０では、図１１の特殊環境用電流値テーブルを使用しつつ、その第１電流値「−２０μＡ」を、更に、例えば「−２３μＡ」に設定変更しても良い。マルチカラーモードにおいてシアンのトナーが放電の影響により飛散すると、目立ちやすいため画質に影響を与える。しかし、転写ローラ３９Ｃの転写電流値を第１電流値に設定することにより、シアンのトナーが放電の影響により飛散するのを低減することができる。
【００８９】
このように、感光体ドラム３０Ｋ以外の感光体ドラム３０Ｙ，３０Ｍ，３０Ｃのいずれかがシート３の搬送方向最下流に配置される場合であっても、マルチカラーモードで画像を形成する際に、シート３が搬送ベルト３８から剥離する際に発生する放電の影響が画質に表れるのを抑制できる。
【００９０】
（３）上記実施形態および上記（１）、（２）では、シート３の搬送方向最下流に配置される感光体ドラム３０で使用するトナーの色が特定されている例が示されたが、これに限られない。すなわち、シート３の搬送方向最下流に配置される感光体ドラム３０で使用するトナーの色に関わらず、転写電流設定処理を以下に説明するように実行してもよい。なお、本変更例では、ユーザは、印字モードとして、白黒モードの代わりに単色モードを設定することができる。単色モードとは、搬送方向における最下流に配置されている感光体ドラム３０のみを利用して、対応する色のトナーのみを使用して画像を形成するモードである。
【００９１】
この場合の構成として、プリンタ１は、シート３を搬送する搬送ベルト３８と、搬送ベルト３８におけるシート３を担持する面に対向して配置される複数の感光体ドラム３０であって、第１色の現像剤像を担持する第１感光体ドラムと、当該複数の感光体ドラムのうち搬送ベルト３８によるシート３の搬送方向最下流に配置され、第２色の現像剤を担持する第２感光体ドラムと、を含む複数の感光体ドラム３０と、複数の感光体ドラム３０の各感光体ドラムに対応して設けられる複数の転写ローラ３９であって、第１感光体ドラムに担持される第１色の現像剤像を、搬送ベルト３８上のシート３に転写する第１転写ローラと、第２感光体に担持される第２色の現像剤像を、搬送ベルト３８上のシート３に転写する第２転写ローラと、含む複数の転写ローラと、操作パネル６と、ＣＰＵ６１と、を備える。
【００９２】
そして、ＣＰＵ６１は、現像剤像を転写されたシート３が搬送ベルト３８から剥離する際に発生する放電の影響が画質に表れやすい条件を満たしているか否かを判断する判断処理と、操作パネル６を介して第２転写ローラの転写電流値を設定する要求を受け付ける受付処理と、受付処理にて要求を受け付け、且つ判断処理にて上記条件を満たしていると判断する場合の第２転写ローラの転写電流値を、受付処理にて上記要求を受け付けておらず、且つ判断処理にて上記条件を満たしていると判断する場合の第２転写ローラの電流値（例えば、−１５μＡ）よりも大きい電流値（例えば、−２０μＡ）に設定する設定処理と、設定処理にて設定された電流値を用いて画像を形成する画像形成処理とを実行する。例えば、図１２（ａ）に示す通常環境用電流値テーブルと図１２（ｂ）に示す特殊環境用電流値テーブルと図１２（ｃ）に示す電流値特殊変更テーブルとをメモリ６５に格納しておく。図１２（ａ）に示す通常環境用電流値テーブルは、感光ドラム３０で使用するトナーの色が特定されていない点を除き、図４に示す通常環境用電流値テーブルと同一である。例えば、単色モードに対しては、シート搬送方向に並んでいる全４個の転写ローラ３９のうちシート搬送方向における第１番目（最上流）から第３番目までの転写ローラ３９には“−３μＡ”が設定されており、第４番目（最下流）の転写ローラ３９には “−１２μＡ”が設定されている。同様に、図１２（ｂ）に示す特殊環境用電流値テーブルは、感光ドラム３０で使用するトナーの色が特定されていない点を除き、図５に示す特殊環境用電流値テーブル（１）と同一である。図３のフローにおいて、Ｓ２０で図１２（ａ）の通常環境用電流値テーブルを使用し、Ｓ６０で図１２（ｂ）の特殊環境用電流値テーブルを使用し、Ｓ７０で図１２（ｃ）の電流値特殊変更テーブルを使用して、転写電流値を設定すればよい。
【００９３】
この場合、シート３の搬送方向最下流に配置される感光体ドラム３０の色および印字モードに関わらず、受付要求がなされた場合には、第２転写ローラの転写電流値を、上記条件を満たす場合から更に増加させることによって、シート３が搬送ベルト３８から剥離する際に発生する放電の影響が画質に表れるのを抑制できる。
【００９４】
また、その際、ＣＰＵ６１は、判断処理において、上記条件を満たしているか否かの判断として、低湿度か、シート３が厚いか、シート３の幅が小さいかを判断する代わりに、単色モードか否かを判断しても良い。例えば、図１３（a）に示すマルチカラーモード用電流値テーブルと図１３（ｂ）に示す単色モード用電流値テーブルと図１３（ｃ）に示す単色モード用電流値特殊変更テーブルとをメモリ６５に格納しておく。図３のフローにおいて、Ｓ３０とＳ４０とは省略する。Ｓ１０では、低湿度か否かを判断する代わりに、単色モードか否かを判断する。単色モードならＳ１０の判断は肯定判断（yes）となりＳ５０に進む。一方、マルチカラーモードならＳ１０の判断は否定判断（No）となりＳ２０に進む。Ｓ２０で図１３（a）のマルチカラーモード用電流値テーブルを使用し、Ｓ６０で図１３（ｂ）の単色モード用電流値テーブルを使用し、Ｓ７０で図１３（ｃ）の単色モード用電流値特殊変更テーブルを使用して、転写電流値を設定すればよい。つまり、単色モードにおいて上記要求を受け付けない場合（Ｓ６０）、シート３の搬送方向最下流に配置される転写ローラ３９の転写電流値の絶対値をマルチカラーモードよりも大きく設定する（図１３（ｂ））。また、単色モードにおいて上記要求を受け付けた場合（Ｓ７０）には、搬送方向最下流の転写ローラ３９の転写電流値の絶対値をさらに大きく設定する（図１３（ｃ））。
【００９５】
この場合、印字モードとして単色モードの場合に条件を満たしているとすることによって、単色モードの場合に放電の影響が画質に表れるのを抑制できる。すなわち、経験的に、単色モードの場合はマルチカラーモードの場合と比べて、シート３が搬送ベルト３８から剥離する際に発生する放電の影響が画質に表れやすいことが知られている。単色モードでは、マルチカラーモードと比べて、画像形成に寄与しない色の転写電流が低く設定されるため、シート３の搬送ベルト３８に対する吸着力が弱いからである。そのため、最下流の転写ローラ３９の転写電流値の絶対値を、マルチカラーモードより大きくすることによって、シート３が搬送ベルト３８から剥離する際に発生する放電の影響が画質に表れるのを抑制できる。
【符号の説明】
【００９６】
１…カラーレーザプリンタ、６…操作パネル、１０…湿度センサ、２０…画像形成ユニット、３０Ｙ，３０Ｍ，３０Ｃ，３０Ｋ…感光体ドラム、３８…搬送ベルト、３９Ｙ，３９Ｍ，３９Ｃ，３９Ｋ…転写ローラ、６１…ＣＰＵ
【図１】
2015108820.tif 000003
【図２】
2015108820.tif 000004
【図３】
2015108820.tif 000005
【図４】
2015108820.tif 000006
【図５】
2015108820.tif 000007
【図６】
2015108820.tif 000008
【図７】
2015108820.tif 000009
【図８】
2015108820.tif 000010
【図９】
2015108820.tif 000011
【図１０】
2015108820.tif 000012
【図１１】
2015108820.tif 000013
【図１２】
2015108820.tif 000014
【図１３】
2015108820.tif 000015